(57)【要約】【課題】超音波溶着処理の溶着処理情報をメモリーカードに格納する装置と、このメモリーカードを利用して溶着処理情報を管理する方法の提供。【解決手段】発振器を介装して超音波溶着機に接続されて溶着処理情報を受領して格納する装置であって、少なくとも設定スイッチにより設定を変更可能とした設定データ選択手段と、内装コンピュータ手段により制御される受信メモリ手段及びデータ書き込み手段を具備してなる超音波溶着機における溶着処理情報の格納装置。【選択図】図３
2005297309.tif 000002
【特許請求の範囲】
【請求項１】
発振器を介装して超音波溶着機に接続されて溶着処理情報を受領して格納する装置であって、少なくとも設定スイッチにより設定を変更可能とした設定データ選択手段と、内装コンピュータ手段により制御される受信メモリ手段及びデータ書き込み手段を具備してなる超音波溶着機における溶着処理情報の格納装置。
【請求項２】
前記受信メモリ手段と前記データ書き込み手段との間にデータ判別手段を介在させて情報を伝達可能とした請求項１記載の超音波溶着機における溶着処理情報の格納装置。
【請求項３】
前記データ書き込み手段によって前記情報を書き込まれるメモリーカードの受容手段を設けてなる請求項１又は２いずれか１項記載の超音波溶着機における溶着処理情報の格納装置。
【請求項４】
発振器を介装して超音波溶着機に接続されて溶着処理情報を受領して格納する方法であって、少なくとも次の各手順を含んでなる溶着処理情報の格納方法。
(1)  情報受領手順
発振器を介装して超音波溶着機から得られた溶着処理情報を受領する。
(2)  受信データ解析手順
前記溶着処理情報から年月日時分等の時間情報を読み出す。
(3)  ファイル作成手順
前記時間情報にファイル名を付してファイルに書き込む。
【請求項５】
発振器を介装して超音波溶着機に接続されて溶着処理情報を受領して格納する装置によって作成されたメモリーカードを利用する情報の管理方法であって、前記メモリーカードに書き込まれた溶着処理情報をカードリーダで読み取ってコンピュータに供給し、データ処理を施して当該溶着処理情報を管理可能とした超音波溶着機における溶着情報の管理方法。
【請求項６】
前記溶着処理情報が異なる複数の超音波溶着機から供与されて作成された複数のメモリーカードを利用して情報の管理を可能とした請求項５記載の超音波溶着機における溶着情報の管理方法。
【発明の詳細な説明】
【技術分野】
【０００１】
この発明は、超音波溶着機における各種の溶着処理データを汎用フラッシュメモリー等に格納して管理可能とした情報管理技術分野に係るものである。
【背景技術】
【０００２】
従来、図９に示すように、発振器PWに接続された超音波溶着機WDにあって溶着処理情報は発振器PWに接続されたコンピュータPCに取り込まれてデータ処理され、必要に応じてマイクロフロッピィＭF等に格納されて管理されていた。
【発明の開示】
【発明が解決しようとする課題】
【０００３】
前記の背景技術におけるデータ管理手法にあっても、データの取り扱い内容には格別の支障はなかった。
【０００４】
しかしながら、図９に見るように超音波溶着機WDは発振器PWと、コンピュータPCとにシリーズ状に単一のラインとして１対１の関係で接続されて利用されるため、超音波溶着ライン毎にコンピュータPCを接続して設置する必要があった。
【０００５】
従って、当然ながら多数のコンピュータPCを用意しなければならないために次の如き問題点が挙げられていた。
【０００６】
１．コンピュータ数により、イニシァルコストアップが避けられなかった。
２．各ライン毎にコンピュータ分だけ使用スペースが拡大し不便であった。
３．溶着処理データの管理が各コンピュータで別々に実行されるため、メンテナンスに多くの工数を必要とした。
【０００７】
この発明によって解決しようとする課題点を挙げると以下の如くである。
【０００８】
この発明が解決しようとする第１の課題点は、超音波溶着機の溶着処理情報をメモリーカードに書き込み収容させるものであって、情報の格納、再利用が迅速で正確なものを提供することである。
【０００９】
この発明が解決しようとする第２の課題点は、コンパクトで取り扱い容易な超音波溶着情報を格納できるものを提供することである。
【００１０】
この発明が解決しようとする第３の課題点は、多数の超音波溶着機の溶着処理情報を少なくとも単一のコンピュータ等の情報処理手段で管理できるものを提供することである。
【課題を解決するための手段】
【００１１】
前記の課題を解決するための手段は次の如くである。
(1)  発振器を介装して超音波溶着機に接続されて溶着処理情報を受領して格納する装置であって、少なくとも設定スイッチにより設定を変更可能とした設定データ選択手段と、内装コンピュータ手段により制御される受信メモリ手段及びデータ書き込み手段を具備してなる超音波溶着機における溶着処理情報の格納装置。
(2)  前記受信メモリ手段と前記データ書き込み手段との間にデータ判別手段を介在させて情報を伝達可能とした前記(1)記載の超音波溶着機における溶着処理情報の格納装置。
(3)  前記データ書き込み手段によって前記情報を書き込まれるメモリーカードの受容手段を設けてなる前記(1)又は(2)いずれか１項記載の超音波溶着機における溶着処理情報の格納装置。
(4)  発振器を介装して超音波溶着機に接続されて溶着処理情報を受領して格納する方法であって、少なくとも次の各手順を含んでなる溶着処理情報の格納方法。
(4)-1．情報受領手順
発振器を介装して超音波溶着機から得られた溶着処理情報を受領する。
(4)-2．受信データ解析手順
前記溶着処理情報から年月日時分等の時間情報を読み出す。
(4)-3．ファイル作成手順
前記時間情報にファイル名を付してファイルに書き込む。
(5)  発振器を介装して超音波溶着機に接続されて溶着処理情報を受領して格納する装置によって作成されたメモリーカードを利用する情報の管理方法であって、前記メモリーカードに書き込まれた溶着処理情報をカードリーダで読み取ってコンピュータに供給し、データ処理を施して当該溶着処理情報を管理可能とした超音波溶着機における溶着情報の管理方法。
(6)  前記溶着処理情報が異なる複数の超音波溶着機から供与されて作成された複数のメモリーカードを利用して情報の管理を可能とした前記(5)記載の超音波溶着機における溶着情報の管理方法。
【発明の効果】
【００１２】
この発明による特有の効果は次の如くである。
(1)  超音波溶着処理情報をコンパクトなメモリーカードに格納することができる。
(2)  前記メモリーカードを利用して多数の超音波溶着機からの溶着処理情報を単一のコンピュータ等の情報処理手段で処理して管理できる。
(3)  情報管理のために必要とするメモリーカードがコンパクトで取り扱いが容易となる。
(4)  情報管理のために必要なコンピュータ等の情報処理手段が最少で済むため、イニシァルコストの低減を図り、必要な設置場所を少なくしてスペースの有効利用を図ることができる。
【発明を実施するための最良の形態】
【００１３】
以下、この発明の最良の実施形態を、超音波溶着機と超音波発振器との機能的関連性に基づいて説明すると共に、溶着処理情報の格納装置について説明する。
【００１４】
１．超音波溶着機（ウェルダ）と溶着処理情報の格納装置（本装置）について
図１に示す如く、ウェルダ１００は超音波発振器（発振器）２００を介装して本装置３００に接続されるものであり、本装置３００によって溶着処理情報（データ）を格納した汎用フラッシュメモリー（メモリーカード）４００は本装置３００から取り出されて収蔵されるものである。
【００１５】
このメモリーカード４００を利用する場合には、図８によって後述するが、発振器２００A、Bに連結された情報処理装置（コンピュータC．Ｐ．Ｕ）５００のカードリーダ５１０で前記メモリーカード４００を読み取らせてその格納されたデータを利用して適宜ウェルダ１００A、Bを制御可能としたものである。
【００１６】
２．個別構成
(1)  ウェルダ１００
図１に側面図として図示した如くに、パーツや治具類ＰＡを固設できるベース１１０に竪設したコラム１２０上に片持ち状で高さ調節可能に設けた溶着手段１３０に垂設したホーン１３１を前記パーツ等ＰＡ上に臨ませて配設しており、キャリッジ１３２内のコンバータ１３３、ブースタ１３４を介してホーン１３１を超音波作動させうるものであって、エアシリンダ１３５によりホーン１３１を下降させてパーツ等ＰＡに関与させうるよう構成されている。
【００１７】
(2)  発振器２００
図１に外観的に略図示した発振器２００は、前記ウェルダ１００に接続されていて圧力センサ信号、プロポーショナルバルブ制御信号、ロードセル信号、もしくはリニアスケール信号等を交換できるように構成されている。
【００１８】
又、この発振器２００の機能としては、電源スイッチ２１０によって起動され、リセットキー２２０を備えており、アローキー２３０の操作でメニューや溶着結果をスクロールできるものであって、テンキー２４０によって各種のパラメータ値を入力可能としており、プリントキー２５０の操作でプリントアウトできるものである。
【００１９】
更に、この発振器２００は後述する本装置３００に連結されるものである。
【００２０】
(3)  本装置３００
図２〜図４に示すようにコンパクトな箱型状の本装置３００は、発振器２００に連結される通信コネクタ３１０を備えており、動作設定スイッチ３２０で各種の動作機能を設定できるもので、電源ジャック３３０で図示しないＡＣアダプタから通電されて機動可能とし、カードスロット（受容手段）３４０にメモリーカード４００を装填した後、発振器２００からのデータを受領して記録させうるものである。
【００２１】
尚、この状態は、電源ランプ３５１、カード装填ランプ３５２、ファイル書き込みランプ３５３、書き込み表示ランプ３５４で表示して視認できるものである。
【００２２】
次に、本装置３００の機能を図５の機能ブロック図で説明する。
【００２３】
即ち、予め、動作設定スイッチ３２０における第１の設定スイッチＳＷ１でホストコンピュータとの通信速度やコマンドモードを設定し、第２の設定スイッチＳＷ２によってホストコンピュータと接続するインターフェースの選択、ポートの選択等を設定して設定データ選択手段３６１でデータ選択を実行し、内装コンピュータ３６２により、受信メモリ手段３６３、データ判別手段３６４及びデータ書き込み手段３６５を制御可能としている。
【００２４】
この状態で、発振器２００から通信コネクタ３１０に供給されたデータは、受信メモリ手段３６３で記憶され、データ判別手段３６４で判別されてデータ書き込み手段３６５においてカードスロット３４０に装填されたメモリーカード４００にデータを書き込むことができる。
【００２５】
この書き込み処理の後に、プッシュスイッチ３７０を操作してメモリーカード４００を本装置３００から取り出し、ファイルを安全のためにクローズさせるものである。
【００２６】
次に本装置３００を図６に示すフローチャートに基づいてメモリーカード４００の作成手順の動作ステップ毎に説明する。
【００２７】
◎  電源ＳＷ２１０がＯＮされて起動した発振器２００側から予め設定された溶着サイクルの完了を確認する（Ｓ１）。
【００２８】
◎  溶着処理データが発振器２００から送出される（Ｓ２）。
【００２９】
◎  溶着処理データの取り込みが実行される（Ｓ３）。
【００３０】
◎  メモリーカード４００に対する溶着データの取り込みが初回であるかをチェックする（Ｓ４）。
【００３１】
◎  Ｓ４で溶着データに取り込みが初回である場合には、受信データを解析し、年月日時分を読み出す（Ｓ５）。
【００３２】
◎  汎用フラッシュに「年月日時分．ＴＸＴ」という名前のファイルを作成する（Ｓ６）。
【００３３】
◎  受信データを「年月日時分．ＴＸＴ」のファイルに書き込む（Ｓ７）。
【００３４】
◎  溶着データの取り込みを続行するかどうかを判定する（Ｓ８）。
【００３５】
◎  続行しない場合は、発振器２００のリセットキー２２０を操作して受信を終了する（Ｓ９）。
【００３６】
◎  プッシュスイッチ３７０を操作してメモリーカード４００を取り出して完了する（Ｓ１０）。
【００３７】
以上の動作によって完成されたメモリーカード４００には、図７に示す「年月日時分Ｙ」、「モードＭ」、「溶着時間Ｔ」、「パワーＰ」、「エネルギー値Ｅ」、「周波数変化量Ｎ」並びに「振巾設定値Ｗ」その他の溶着処理データが書き込まれたことになり、所要の収蔵手段（図示略）にこのメモリーカード４００を格納してデータ保存に供することとなる。
【００３８】
又、この溶着データをデータ管理のために利用する際には、Ｃ．Ｐ．Ｕ５００のカードリーダ５１０にメモリーカード４００を挿入して溶着データを読み取り活用できるものである。
【００３９】
尚、前記手順において、Ｓ８で溶着データの取り込みを続行する場合には発振器２００に通信してＳ１に戻り、溶着サイクルが完了した際の他の溶着データの送出を受領して前記Ｓ２〜Ｓ１０の手順を繰り返すことになる。
【００４０】
又、Ｓ４において、溶着データの取り込みが初回でない場合には、Ｓ５、Ｓ６をスキップしてＳ７に進むことになるため、効率的に作業が実行される。
【００４１】
３．超音波溶着機における溶着処理情報の管理方法
図８に示すように超音波溶着機１００Ａ、Ｂからのデータは発振器２００Ａ、Ｂを介装して本装置３００Ａ、Ｂに供与され、このデータが書き込まれたメモリーカード４００Ａ、Ｂは適宜にコンピュータＣ．Ｐ．Ｕのカードリーダ５１０によって読み込まれ、データ処理されて必要に応じてはＣＲＴで表示してデータ管理に活用できるものである。
【００４２】
又、メモリーカード４００Ａ、Ｂは保存、収蔵して将来のデータ管理に供しうることは言うまでもないことである。
【００４３】
従って、この管理方法によれば、少なくとも一台のコンピュータＣ．Ｐ．Ｕによって多数の超音波溶着機Ａ、Ｂ、…のデータを容易に管理できることとなり、コストメリットは飛躍的に増大するものである。
【実施例】
【００４４】
本装置３００の実施例の仕様の一部は次の如くである。
１．対応メモリーカード…汎用フラッシュ
２．カードスロット…１個形式
３．電源…ＤＣ５Ｖ
４．消費電流…待機モード…ＭＡ×６０ｍＡ
スリープモード…ＭＡ×５０ｍＡ
【産業上の利用可能性】
【００４５】
この発明は超音波溶着機の溶着処理情報をコンパクトなメモリーカードに収容させ、このメモリーカードを利用して多数の超音波溶着機のデータを単一のコンピュータで管理できるのでコスト低減とメンテナンスの容易化の点で優れており、当該技術分野においての利用可能性は高いものである。
【図面の簡単な説明】
【００４６】
【図１】超音波溶着機と発振器並びに情報の格納装置の関係説明図。
【図２】情報の格納装置の平面図。
【図３】図２の後面図。
【図４】図２の正面図。
【図５】情報の格納装置の機能ブロック図。
【図６】図５のフローチャート。
【図７】図５によってメモリーカードに格納される情報の説明図。
【図８】本発明の情報管理方法の概念図。
【図９】従来の情報管理方法の概念図。
【符号の説明】
【００４７】
１００          超音波溶着機（ウェルダ）
２００          発振器
３００          溶着処理情報の格納装置（本装置）
３２０（ＳＷ１、ＳＷ２）    第１、第２の設定スイッチ
３４０          カードスロット（受容手段）
３６１          設定データ選択手段
３６２          内装コンピュータ
３６３          受信メモリ手段
３６４          データ判別手段
３６５          データ書き込み手段
４００          メモリーカード（汎用フラッシュメモリー）
５００          Ｃ．Ｐ．Ｕ
５１０          カードリーダ
【図１】
2005297309.tif 000003
【図２】
2005297309.tif 000004
【図３】
2005297309.tif 000005
【図４】
2005297309.tif 000006
【図５】
2005297309.tif 000007
【図６】
2005297309.tif 000008
【図７】
2005297309.tif 000009
【図８】
2005297309.tif 000010
【図９】
2005297309.tif 000011